(57)【特許請求の範囲】
【請求項１】
充電可能な複数の２次電池と、上記２次電池を充電する充電部とを備え、上記複数の２次電池のいずれかから負荷に対して給電を行なう電源装置であって、
上記複数の２次電池のいずれかと上記充電部との接続および切断と、上記複数の２次電池のいずれかと上記負荷との接続および切断とを行なう接続切替手段と、
上記２次電池を充電および放電した回数である充放電回数を、上記２次電池毎に記憶する記憶部とを備え、
上記接続切替手段は、
上記負荷と接続させた２次電池を、容量が所定の下限値に達するまで上記負荷のみと接続させ、
上記負荷と接続させた２次電池の容量が上記下限値に達したとき、
当該２次電池を除く上記２次電池のうち、上記充電部と切断されており、上記記憶部に格納されている充放電回数が最少の上記２次電池と、上記負荷とを接続させるとともに、
容量が上記下限値に達した上記２次電池を、容量が最高位に達するまで上記充電部のみと接続させ、
上記複数の２次電池の全てが、容量が上記下限値以下であり、かつ、上記充電部と接続されていないとき、
上記接続切替手段は、
上記記憶部に格納されている充放電回数が最少の上記２次電池を、容量が最高位に達するまで上記充電部と接続させるとともに、上記負荷を上記複数の２次電池のいずれとも接続させず、
その後、上記充電部と接続させた上記２次電池の容量が最高位に達したとき、当該２次電池を上記負荷のみと接続させる一方、
ユーザの指示があった場合、充電中の、上記充放電回数が最少の上記２次電池を、上記負荷にも接続させることを特徴とする電源装置。
【請求項２】
上記接続切替手段は、上記２次電池と上記充電部とを接続させたとき、上記記憶部に格納されている、当該接続させた２次電池の充放電回数を、１つ増加させて更新することを特徴とする請求項１に記載の電源装置。
【請求項３】
上記接続切替手段は、上記２次電池と上記負荷とを接続させたとき、上記記憶部に格納されている、当該接続させた２次電池の充放電回数を、１つ増加させて更新することを特徴とする請求項１に記載の電源装置。
【請求項４】
上記複数の２次電池の全ての容量が最高位であるとき、
上記接続切替手段は、上記記憶部に格納されている充放電回数が最少の上記２次電池と上記負荷とを接続させるとともに、上記充電部を上記複数の２次電池のいずれとも接続させないことを特徴とする請求項１から３のいずれか１項に記載の電源装置。
【請求項５】
接続された上記２次電池を放電させる放電手段をさらに備え、
上記接続切替手段は、さらに、上記複数の２次電池のいずれかと上記放電手段との接続および切断を行なわせるものであり、
上記接続切替手段は、上記２次電池と上記充電部とを接続させる前に、当該接続させる２次電池を、容量が無くなるまで上記放電手段と接続させることを特徴とする請求項１から４のいずれか１項に記載の電源装置。
【請求項６】
請求項１から５のいずれか１項に記載の電源装置と、当該電源装置から給電される負荷とを備えた電子機器。
【請求項７】
充電可能な複数の２次電池と、上記２次電池を充電する充電部を備え、上記複数の２次電池のいずれかから負荷に対して給電を行なう電源装置の制御方法であって、
上記電源装置は、上記２次電池を充電および放電した回数である充放電回数を、上記２次電池毎に記憶する記憶部を備え、
上記負荷と接続させた２次電池を、容量が所定の下限値に達するまで上記負荷のみと接続させる給電ステップと、
上記負荷と接続させた２次電池の容量が上記下限値に達したとき、当該２次電池を除く上記２次電池のうち、上記充電部と切断されており、上記記憶部に格納されている充放電回数が最少の上記２次電池と、上記負荷とを接続させる接続切替ステップと、
上記負荷と接続させた２次電池の容量が上記下限値に達したとき、当該２次電池を、容量が最高位に達するまで上記充電部のみと接続させる充電ステップとを含み、
上記複数の２次電池の全てが、容量が上記下限値以下であり、かつ、上記充電部と接続されていないとき、
上記充電ステップでは、上記記憶部に格納されている充放電回数が最少の上記２次電池を、容量が最高位に達するまで上記充電部と接続させ、
上記接続切替ステップでは、上記負荷を上記複数の２次電池のいずれとも接続させず、その後、上記充電ステップにて上記充電部と接続させた上記２次電池の容量が最高位に達したとき、当該２次電池を上記負荷のみと接続させる一方、
ユーザの指示があった場合、上記接続切替ステップでは、充電中の、上記充放電回数が最少の上記２次電池を、上記負荷にも接続させることを特徴とする電源装置の制御方法。
【発明の詳細な説明】
【技術分野】
【０００１】
本発明は、充電可能な複数の２次電池を備えており、２次電池のいずれかから負荷に対して給電を行なう電源装置等に関するものである。
【背景技術】
【０００２】
近年、携帯電話機、スマートフォン、ノートパソコンなどの携帯型の電子機器が広く普及している。このような電子機器は、充電可能な２次電池を備えており、外部から供給される電源を直接使用できないときは、２次電池からの出力によって駆動するようになっている。
【０００３】
特許文献１には、商用電源によって駆動される電源回路と充電可能な２次電池とを備えた電源装置が開示されている。そして、特許文献１には、商用電源と２次電池の何れでも駆動できる電子機器において、機器本体あるいは装置内に商用電源によって駆動される電源回路１１と、充電可能な２次電池１２と、上記電源回路の出力によって２次電池の充電を行なう充電回路１５とを設けておき、外部からのＡＣ電源によって電源回路１１で装置を駆動している場合に、並行して充電回路１５によって２次電池１２の充電を行なうことが記載されている（要約書、図１など）。
【０００４】
さらに、特許文献１には、電源回路１１と一対の２次電池３１（セルＡ３１）、３２（セルＢ３２）とによって負荷１４を選択的に駆動する電源装置が記載されており、これらのセル３１、３２の電圧を見ながら切換え回路１２を切換えて負荷１４を駆動すること、つまり、２次電池３１、３２の何れかによって負荷１４が駆動されることが記載されている（図３など）。
【０００５】
また、特許文献１には、２次電池３１、３２がメモリー効果がある場合には、放電した２次電池３１、３２を放電用抵抗に３６によって完全放電させ、メモリー効果を排除することが可能になることが記載されている。
【先行技術文献】
【特許文献】
【０００６】
【特許文献１】特開２００４−２３９７５号公報（２００４年１月２２日公開）
【発明の概要】
【発明が解決しようとする課題】
【０００７】
しかしながら、特許文献１には、各セルの切替条件に関しては明示されていない。そのため、充電および放電の切り替えが頻繁に発生した場合、２次電池の充放電回数が不用意に増加することにつながる。一方、２次電池の製品寿命は充放電サイクル回数の限度回数であることから、上述のように２次電池の充放電回数が増加すると、結果として、２次電池の製品寿命が短くなるという問題が生じる。
【０００８】
なお、特許文献１には、セル３１、３２のいずれか一方または双方がフル充電でない場合には充電不足のセルを急速充電することが記載されているが、このような充電は、充放電回数を不用意に増加させる原因となる。
【０００９】
また、特許文献１に開示された技術では、セルを充電しながら、同時に負荷に接続することが生じ得る。このような接続状態になった場合は、２次電池セルへの充電電流は、「充電回路の電流 ― 負荷電流」となるが、一般に負荷電流は変動するため、セルへの充電電流は不安定になる。また仮に、充電回路の電流以上の負荷が発生した場合には、充電中のセルが一転して放電状態となる。このような不安定な充電は、２次電池セルの充放電サイクル寿命を短くする原因となり、結果として、２次電池の製品寿命を短くすることにつながる。
【００１０】
本発明は、上記の問題点を鑑みてなされたものであり、その目的は、２次電池を充放電する頻度を抑え、２次電池の製品寿命が短くなることを抑制する電源装置等を提供することにある。
【課題を解決するための手段】
【００１１】
上記課題を解決するために、本発明に係る電源装置は、充電可能な複数の２次電池と、上記２次電池を充電する充電部とを備え、上記複数の２次電池のいずれかから負荷に対して給電を行なう電源装置であって、上記複数の２次電池のいずれかと上記充電部との接続および切断と、上記複数の２次電池のいずれかと上記負荷との接続および切断とを行なわせる接続切替手段を備え、上記接続切替手段は、上記負荷と接続させた２次電池を、容量が所定の下限値に達するまで上記負荷のみと接続させ、上記負荷と接続させた２次電池の容量が上記下限値に達したとき、当該２次電池を除く上記２次電池のうち、上記充電部と切断されている上記２次電池のいずれかと、上記負荷とを接続させるとともに、容量が上記下限値に達した上記２次電池を、容量が最高位に達するまで上記充電部のみと接続させることを特徴としている。
【００１２】
また、上記課題を解決するために、本発明に係る電源装置の制御方法は、充電可能な複数の２次電池と、上記２次電池を充電する充電部を備え、上記複数の２次電池のいずれかから負荷に対して給電を行なう電源装置の制御方法であって、上記負荷と接続させた２次電池を、容量が所定の下限値に達するまで上記負荷のみと接続させる給電ステップと、上記負荷と接続させた２次電池の容量が上記下限値に達したとき、当該２次電池を除く上記２次電池のうち、上記充電部と切断されている上記２次電池のいずれかと、上記負荷とを接続させる接続切替ステップと、上記負荷と接続させた２次電池の容量が上記下限値に達したとき、当該２次電池を、容量が最高位に達するまで上記充電部のみと接続させる充電ステップとを含むことを特徴としている。
【００１３】
上記の構成によれば、負荷と接続させた２次電池を、容量が所定の下限値に達するまで負荷のみと接続させる。そして、負荷と接続させた２次電池の容量が上記下限値に達したとき、当該２次電池を除く２次電池のうち、充電部と切断されている上記２次電池のいずれかと負荷とを接続させる。また、容量が上記下限値に達した２次電池を、容量が最高位に達するまで充電部のみと接続させる。
【００１４】
よって、給電中の２次電池は、容量が上記下限値に達するまで給電を続けるとともに充電されることはない。そして、当該２次電池の容量が上記下限値に達したとき、充電中ではない２次電池からの給電に切り替える。さらに、容量が上記下限値に達した２次電池は、容量が最高位に達するまで充電されるとともに負荷に接続されることはない。
【００１５】
したがって、給電中の２次電池を、容量が上記下限値に達するまで使用してから充電することができる。そのため、従来よりも２次電池の充放電回数を減らすことができるので、既定の充放電サイクル回数に達するまでの期間を延ばすことができるという効果を奏する。
【００１６】
さらに、２次電池は、充電中は負荷に接続されないことから充電電流が安定する。そのため、充放電サイクル寿命（可能回数）を延ばすことができるという効果を奏する。２次電池としての製品寿命は充放電サイクル回数の限度回数であることから、結果として、製品寿命を延ばすことができるという効果を奏する。
【００１７】
さらに、本発明に係る電源装置は、上記２次電池を充電および放電した回数である充放電回数を、上記２次電池毎に記憶する記憶部をさらに備え、上記接続切替手段は、さらに、上記負荷と接続させた２次電池の容量が上記下限値に達したとき、当該２次電池を除く上記２次電池のうち、上記充電部と切断されており、上記記憶部に格納されている充放電回数が最少の上記２次電池と、上記負荷とを接続させる構成であってもよい。
【００１８】
上記の構成によれば、２次電池の容量が上記下限値に達したとき、充放電回数が最少の２次電池であって充電中ではない２次電池からの給電に切り替える。
【００１９】
したがって、給電元の２次電池を切り替える際、充放電回数が最少の２次電池を優先して使用する。これにより、充放電回数が各２次電池の間で平均化されるため、電源装置全体として、２次電池の充放電サイクル回数に達するまでの期間が長くすることが実現される。その結果として、製品寿命を延ばすことができるという効果を奏する。
【００２０】
さらに、本発明に係る電源装置は、上記接続切替手段は、上記２次電池と上記充電部とを接続させたとき、上記記憶部に格納されている、当該接続させた２次電池の充放電回数を、１つ増加させて更新する構成であってもよい。
【００２１】
上記の構成によれば、２次電池と充電部とを接続させたとき、当該接続させた２次電池の充放電回数を、１つ増加させて更新する。
【００２２】
よって、２次電池の充電を開始するタイミングで当該２次電池の充放電回数を１つ増加させた状態にすることができる。
【００２３】
したがって、次回に給電元の２次電池を切り替える際に、更新された後の充放電回数に基づいて適切な給電元の２次電池を選択することができるという効果を奏する。
【００２４】
さらに、本発明に係る電源装置は、上記接続切替手段は、上記２次電池と上記負荷とを接続させたとき、上記記憶部に格納されている、当該接続させた２次電池の充放電回数を、１つ増加させて更新する構成であってもよい。
【００２５】
上記の構成によれば、２次電池と負荷とを接続させたとき、当該接続させた２次電池の充放電回数を、１つ増加させて更新する。
【００２６】
よって、２次電池から給電を開始するタイミングで当該２次電池の充放電回数を１つ増加させた状態にすることができる。
【００２７】
したがって、次回に給電元の２次電池を切り替える際に、更新された後の充放電回数に基づいて適切な給電元の２次電池を選択することができるという効果を奏する。
【００２８】
さらに、本発明に係る電源装置は、上記複数の２次電池の全ての容量が最高位であるとき、上記接続切替手段は、上記記憶部に格納されている充放電回数が最少の上記２次電池と上記負荷とを接続させるとともに、上記充電部を上記複数の２次電池のいずれとも接続させない構成であってもよい。
【００２９】
上記の構成によれば、全ての２次電池の容量が最高位であるとき、充放電回数が最少の２次電池と負荷とを接続させるとともに、全ての２次電池を充電しない。
【００３０】
したがって、上記複数の２次電池の全ての容量が最高位であるときは、充放電回数が最少の２次電池を優先して使用するので、装置全体としては、既定の充放電サイクル回数に達するまでの期間を延ばすことができるという効果を奏する。
【００３１】
さらに、本発明に係る電源装置は、上記複数の２次電池の全てが、容量が上記下限値以下であり、かつ、上記充電部と接続されていないとき、上記接続切替手段は、上記記憶部に格納されている充放電回数が最少の上記２次電池を、容量が最高位に達するまで上記充電部と接続させるとともに、上記負荷を上記複数の２次電池のいずれとも接続させず、その後、上記充電部と接続させた上記２次電池の容量が最高位に達したとき、当該２次電池を上記負荷のみと接続させる構成であってもよい。
【００３２】
上記の構成によれば、全ての２次電池の容量が上記下限値以下であり、かつ、充電中でないとき、充放電回数が最少の２次電池を、容量が最高位に達するまで給電することなく充電する。その後、２次電池の容量が最高位に達したとき、当該２次電池を充電することなく負荷と接続させる。
【００３３】
したがって、全ての２次電池の容量が上記下限値以下であり、かつ、充電中でないときは、充放電回数が最少の２次電池を優先して充電してから使用するので、装置全体としては、既定の充放電サイクル回数に達するまでの期間を延ばすことができるという効果を奏する。
【００３４】
さらに、本発明に係る電源装置は、接続された上記２次電池を放電させる放電手段をさらに備え、上記接続切替手段は、さらに、上記複数の２次電池のいずれかと上記放電手段との接続および切断を行なわせるものであり、上記接続切替手段は、上記２次電池と上記充電部とを接続させる前に、当該接続させる２次電池を、容量が無くなるまで上記放電手段と接続させる構成であってもよい。
【００３５】
上記の構成によれば、２次電池と充電部とを接続させる前に、当該接続させる２次電池を、容量が無くなるまで放電させる。
【００３６】
よって、２次電池の容量が残存している場合でも、容量が無くなるまで放電させてから充電することができる。
【００３７】
したがって、容量が残存している状態で充電されることはないため、ニッケルカドミウム電池等のメモリー効果が発生するために継ぎ足し充電が不可である２次電池を本発明に採用した場合でも、メモリー効果の発生を抑制できるという効果を奏する。
【００３８】
なお、上記電源装置と当該電源装置から給電される負荷とを備えた電子機器も本発明の範疇に入る。
【発明の効果】
【００３９】
以上のように、本発明に係る電源装置は、充電可能な複数の２次電池と、上記２次電池を充電する充電部とを備え、上記複数の２次電池のいずれかから負荷に対して給電を行なう電源装置であって、上記複数の２次電池のいずれかと上記充電部との接続および切断と、上記複数の２次電池のいずれかと上記負荷との接続および切断とを行なわせる接続切替手段を備え、上記接続切替手段は、上記負荷と接続させた２次電池を、容量が所定の下限値に達するまで上記負荷のみと接続させ、上記負荷と接続させた２次電池の容量が上記下限値に達したとき、当該２次電池を除く上記２次電池のうち、上記充電部と切断されている上記２次電池のいずれかと、上記負荷とを接続させ、容量が上記下限値に達した上記２次電池を、容量が最高位に達するまで上記充電部のみと接続させる。
【００４０】
また、本発明に係る電源装置の制御方法は、充電可能な複数の２次電池と、上記２次電池を充電する充電部を備え、上記複数の２次電池のいずれかから負荷に対して給電を行なう電源装置の制御方法であって、上記負荷と接続させた２次電池を、容量が所定の下限値に達するまで上記負荷のみと接続させる給電ステップと、上記負荷と接続させた２次電池の容量が上記下限値に達したとき、当該２次電池を除く上記２次電池のうち、上記充電部と切断されている上記２次電池のいずれかと、上記負荷とを接続させる接続切替ステップと、上記負荷と接続させた２次電池の容量が上記下限値に達したとき、当該２次電池を、容量が最高位に達するまで上記充電部のみと接続させる充電ステップとを含む。
【００４１】
よって、給電中の２次電池は、容量が上記下限値に達するまで充電されることなく給電を続けるとともに、当該２次電池の容量が上記下限値に達したとき、充電中ではない２次電池からの給電に切り替える。さらに、容量が上記下限値に達した２次電池は、容量が最高位に達するまで負荷に接続されることなく充電される。
【００４２】
したがって、従来よりも２次電池の充放電の頻度が減ることとなるので、既定の充放電サイクル回数に達するまでの期間を延ばすことができるという効果を奏する。さらに、２次電池は、充電中は負荷には接続されないことから充電電流が安定するため、製品寿命を延ばすことができるという効果を奏する。
【図面の簡単な説明】
【００４３】
【図１】本発明の一実施形態に係る電源装置の構成を示すブロック図である。
【図２】図１に示した電源装置において、全ての２次電池が満充電である場合を初期状態とする場合における処理の流れを示すフローチャートである。
【図３】図１に示した電源装置において、一方の２次電池から給電中であるとともに、当該２次電池が容量中位であり、かつ、他方の２次電池が満充電である場合を初期状態とする場合における処理の流れを示すフローチャートである。
【図４】図１に示した電源装置において、一方の２次電池が容量下位であり、かつ、他方の２次電池が満充電または容量中位である場合を初期状態とする場合における処理の流れを示すフローチャートである。
【図５】図１に示した電源装置において、一方の２次電池から給電中であるとともに、当該２次電池が容量中位であり、かつ、他方の２次電池が満充電である場合を初期状態とする場合における処理の流れを示すフローチャートである。
【図６】図６（ａ）および（ｂ）は、図１に示した電源装置において、一方の２次電池から給電中であるとともに、いずれの２次電池も容量中位である場合を初期状態とする場合における処理の流れを示すフローチャートである。
【図７】図１に示した電源装置において、一方の２次電池が満充電または容量中位であり、かつ、他方の２次電池が容量下位である場合を初期状態とする場合における処理の流れを示すフローチャートである。
【図８】図１に示した電源装置において、全ての２次電池が容量下位である場合を初期状態とする場合における処理の流れを示すフローチャートである。
【図９】図１に示した電源装置において、一方の２次電池から給電中であるとともに、当該２次電池が容量中位であり、かつ、他方の２次電池が満充電である場合を初期状態とする場合における処理の流れの一例を示すフローチャートである。
【図１０】図９に示したフローチャートの各ステップにおける、切替部の接続先の状態および遷移を示す図である。
【図１１】本発明の他の一実施形態に係る電源装置の構成を示すブロック図である。
【図１２】図１１に示した電源装置において、全ての２次電池が満充電である場合を初期状態とする場合における処理の流れを示すフローチャートである。
【図１３】図１１に示した電源装置において、一方の２次電池から給電中であるとともに、当該２次電池が容量中位であり、かつ、他方の２次電池が満充電である場合を初期状態とする場合における処理の流れを示すフローチャートである。
【図１４】図１１に示した電源装置において、一方の２次電池が容量下位であり、かつ、他方の２次電池が満充電または容量中位である場合を初期状態とする場合における処理の流れを示すフローチャートである。
【図１５】図１１に示した電源装置において、一方の２次電池から給電中であるとともに、当該２次電池が容量中位であり、かつ、他方の２次電池が満充電である場合を初期状態とする場合における処理の流れを示すフローチャートである。
【図１６】図１６（ａ）および（ｂ）は、図１１に示した電源装置において、一方の２次電池から給電中であるとともに、いずれの２次電池も容量中位である場合を初期状態とする場合における処理の流れを示すフローチャートである。
【図１７】図１１に示した電源装置において、一方の２次電池が満充電または容量中位であり、かつ、他方の２次電池が容量下位である場合を初期状態とする場合における処理の流れを示すフローチャートである。
【図１８】図１１に示した電源装置において、全ての２次電池が容量下位である場合を初期状態とする場合における処理の流れを示すフローチャートである。
【図１９】図１１に示した電源装置において、一方の２次電池から給電中であるとともに、当該２次電池が容量中位であり、かつ、他方の２次電池が満充電である場合を初期状態とする場合における処理の流れの一例を示すフローチャートである。
【図２０】図１９に示したフローチャートの各ステップにおける、切替部の接続先の状態および遷移を示す図である。
【図２１】本発明のさらなる他の一実施形態に係る電源装置の構成を示すブロック図である。
【図２２】図２１に示した電源装置において、一方の２次電池から給電中であるとともに、当該２次電池が容量中位であり、かつ、他方の２次電池が満充電である場合を初期状態とする場合における処理の流れの一例を示すフローチャートである。
【図２３】図２２に示したフローチャートの各ステップにおける、切替部の接続先の状態および遷移を示す図である。
【発明を実施するための形態】
【００４４】
各実施形態に係る電源装置は、充電可能な複数の２次電池を備えており、商用電源などの外部から供給される電源を直接使用できないときに、２次電池のいずれかから負荷に対して給電を行なう装置である。当該電源装置は、好適には、携帯電話機、スマートフォン、ノートパソコンなどの電子機器に搭載されるものであるが、これに限定されるものではない。
【００４５】
なお、各実施形態では、２次電池の電池容量が最高位である状態を「満充電」と表記する。また、２次電池の電池容量が、実使用上使用可能である下限値（以下、「容量下限」とも表記する）以下である状態を「容量下位」と表記する。また、２次電池の電池容量が満充電より少なく、かつ、容量下限より多い状態を「容量中位」と表記する。
【００４６】
また、各実施形態において、「充放電回数」とは、「２次電池を充電した回数および当該２次電池を放電した回数の合計」を意味するものとして表記する。
【００４７】
〔実施形態１〕
本発明の一実施形態について、図１〜図１０に基づいて説明すると以下の通りである。なお、本実施形態では、本発明の理解を容易にすべく、２個の２次電池を備える実施形態について説明するが、これによって２次電池の個数が２個に限定されるものではない。
【００４８】
（電源装置の構成）
図１を参照しながら、本実施形態に係る電源装置１０の構成について説明する。図１は、電源装置１０の構成の概要を示すブロック図である。同図に示すように、電源装置１０は、２次電池Ａ１１０、２次電池Ｂ１１１、充電回路部（充電部）１００、接続切替制御部（接続切替手段）１０２、電池状態監視部１０３、充電器Ｉ／Ｆ１０４、切替部１０５、切替部１０６、および記憶部１０７を備えている。ただし、記憶部１０７は必ずしも備える必要はない。なお、接続切替制御部１０２および電池状態監視部１０３は、論理回路によってハードウェアとして構成してもよいし、一部または全部をＣＰＵ（central processing unit）を用いてソフトウェアによって実現してもよい。
【００４９】
なお、同図では、電源装置１０は、機器動作部１０１を含む電子機器１に搭載されているものとしている。機器動作部１０１は、電子機器１が具備する各種機能を実行するメインシステム部であり、電源装置１０から見れば負荷である。例えば、電子機器１が携帯電話機である場合は、機器動作部１０１は、通話機能、通信機能、撮像機能などの各種機能を実行する。
【００５０】
２次電池Ａ１１０および２次電池Ｂ１１１は、リチウムイオン電池等の、継ぎ足し充電が可能な電池である。
【００５１】
次に、充電回路部１００は、定電流充電、定電圧充電、トリクル充電などの適切な充電制御を行う機能を有する。そして、充電回路部１００は、充電器Ｉ／Ｆ１０４を介して充電器（不図示）と接続されるとともに、切替部１０５を介して２次電池と接続された場合に、充電器を介して外部から供給される電力によって、接続された２次電池に対して充電制御を行う。
【００５２】
次に、接続切替制御部１０２は、切替部１０５および切替部１０６を制御するものである。電池状態監視部１０３が検出する２次電池Ａ１１０および２次電池Ｂ１１１の残存容量、および、記憶部１０７に格納されている２次電池Ａ１１０および２次電池Ｂ１１１の充放電回数に基づいて、切替部１０５および切替部１０６を制御する構成が好ましい。制御内容の詳細については後述する。
【００５３】
また、記憶部１０７を備えている場合、接続切替制御部１０２は、２次電池と充電回路部１００とを接続させた場合、記憶部１０７に格納されている、当該接続させた２次電池の充放電回数を、１つ増加させて更新する。なお、２次電池と機器動作部１０１とを接続させた場合、記憶部１０７に格納されている、当該接続させた２次電池の充放電回数を、１つ増加させて更新してもよい。
【００５４】
次に、電池状態監視部１０３は、２次電池Ａ１１０および２次電池Ｂ１１１を常時監視しており、電池電圧および充放電電流の積算値等を用いて２次電池Ａ１１０および２次電池Ｂ１１１の残存容量を算出する。そして、電池状態監視部１０３は、２次電池Ａ１１０および２次電池Ｂ１１１のそれぞれについて、少なくとも、（１）満充電であること、（２）残存容量が容量下位（容量下限以下）であること、（３）残存容量が容量中位であること、を検出する。
【００５５】
次に、充電器Ｉ／Ｆ１０４は、充電回路部１００と充電器とを接続するインターフェースである。当該インターフェースとして通常はコネクタが用いられるが、これに限定されるものではなく、専用接点や非接触充電機構等が用いられてもよい。
【００５６】
次に、切替部１０５は、接続切替制御部１０２によって制御され、充電の経路選択および経路断の切替を行う。より詳しくは、切替部１０５は、（１）充電回路部１００と２次電池Ａ１１０とを接続する、（２）充電回路部１００と２次電池Ｂ１１１とを接続する、（３）充電回路部１００を２次電池Ａ１１０にも２次電池Ｂ１１１にも接続しない（換言すれば、充電回路部１００と２次電池との接続を切り離す）、のいずれかに切り替える。
【００５７】
同様に、切替部１０６は、接続切替制御部１０２によって制御され、給電の経路選択および経路断の切替を行う。より詳しくは、切替部１０６は、（１）２次電池Ａ１１０と機器動作部１０１とを接続する、（２）２次電池Ｂ１１１と機器動作部１０１とを接続する、（３）機器動作部１０１を２次電池Ａ１１０にも２次電池Ｂ１１１にも接続しない（換言すれば、機器動作部１０１と２次電池との接続を切り離す）、のいずれかに切り替える。
【００５８】
最後に、記憶部１０７は、２次電池Ａ１１０および２次電池Ｂ１１１の各々の充放電回数を記憶するものであり、例えばＥＥＰＲＯＭ（electrically erasable programmable read-only memory）などの記憶装置によって構成される。
【００５９】
（接続切替制御の詳細）
接続切替制御部１０２は、充電器が接続された場合、下記に示すケース１〜９のとおりに給電および充電を行うように、切替部１０５および切替部１０６を制御する。
【００６０】
（ケース１）
ケース１は、全ての２次電池が満充電である場合を初期状態とするケースである。ケース１では、接続切替制御部１０２が、いずれかの２次電池から給電を開始するように切替部１０６を制御する。記憶部１０７を備えていない場合は、いずれの２次電池を選択してもよい。一方、記憶部１０７を備えている場合は、記憶部１０７に格納されている各２次電池の充放電回数を参照し、充放電回数が最少の２次電池から給電を開始する。どちらの場合であっても、いずれの２次電池も充電しない。
【００６１】
図２を参照しながら、ケース１における処理の流れについて説明する。図２は、ケース１における処理の流れを示すフローチャートである。ここでは、記憶部１０７を備えている場合について説明する。
【００６２】
まず、電池状態監視部１０３によって２次電池Ａ１１０および２次電池Ｂ１１１がいずれも満充電であることが検出されると、図２に示すフローチャートが開始する。次に、接続切替制御部１０２によって記憶部１０７に格納されている２次電池Ａ１１０および２次電池Ｂ１１１の充放電回数が参照される（ステップＳ（以下、単に「Ｓ」とも表記する）１１）。
【００６３】
そして、２次電池Ａ１１０の方が充放電回数が少ない場合（Ｓ１１において「Ａが最少」）、接続切替制御部１０２は、２次電池Ａ１１０と機器動作部１０１とを接続するように切替部１０６を制御する。これにより、２次電池Ａ１１０から機器動作部１０１へ給電を行なう（Ｓ１２）。なお、ステップＳ１２の後は、ケース２の初期状態と同等である。
【００６４】
一方、２次電池Ｂ１１１の方が充放電回数が少ない場合（Ｓ１１において「Ｂが最少」）、接続切替制御部１０２は、２次電池Ｂ１１１と機器動作部１０１とを接続するように切替部１０６を制御する。これにより、２次電池Ｂ１１１から機器動作部１０１へ給電を行なう（Ｓ１３）。なお、ステップＳ１３の後は、ケース４の初期状態と同等である。
【００６５】
（ケース２）
ケース２は、２次電池Ａ１１０から機器動作部１０１へ給電中であるとともに、２次電池Ａ１１０が容量中位であり、かつ、２次電池Ｂ１１１が満充電である場合を初期状態とするケースである。ケース２では、２次電池Ａ１１０が容量下位になるまで２次電池Ａ１１０を充電せずに２次電池Ａ１１０からの給電を維持する。そして、２次電池Ａ１１０が容量下位になったとき、２次電池Ｂ１１１からの給電に切り替え、その後、２次電池Ａ１１０を充電する。
【００６６】
図３を参照しながら、ケース２における処理の流れについて説明する。図３は、ケース２における処理の流れを示すフローチャートである。まず、２次電池Ａ１１０と機器動作部１０１とが接続するように切替部１０６が制御されており、２次電池Ａ１１０から機器動作部１０１へ給電中である（Ｓ２１）。
【００６７】
そして、電池状態監視部１０３によって２次電池Ａ１１０の残存容量が容量下限以下であることが検出されるまで、ステップＳ２２（給電ステップ）を繰り返す（Ｓ２２においてＮＯ）。
【００６８】
一方、電池状態監視部１０３によって２次電池Ａ１１０残存容量が容量下限以下であることが検出されると（Ｓ２２においてＹＥＳ）、接続切替制御部１０２は、２次電池Ｂ１１１と機器動作部１０１とを接続するように切替部１０６を制御する。これにより、２次電池Ｂ１１１から機器動作部１０１へ給電を行なう（Ｓ２３（接続切替ステップ））。
【００６９】
続いて、接続切替制御部１０２は、充電回路部１００と２次電池Ａ１１０とを接続するように切替部１０５を制御する。これにより、２次電池Ａ１１０の充電を行なう（Ｓ２４（充電ステップ））。なお、ステップＳ２４の後は、ケース３の初期状態と同等である。
【００７０】
（ケース３）
ケース３は、２次電池Ａ１１０が容量下位であり、かつ、２次電池Ｂ１１１が満充電である場合を初期状態とするケースである。ケース３では、２次電池Ｂ１１１から給電を行なうとともに、満充電に達するまで２次電池Ａ１１０を充電する。なお、満充電に達するまで２次電池Ａ１１０から給電を行なわない。
【００７１】
図４を参照しながら、ケース３における処理の流れについて説明する。図４は、ケース３における処理の流れを示すフローチャートである。まず、接続切替制御部１０２によって、２次電池Ｂ１１１と機器動作部１０１とを接続するように切替部１０６を制御する。これにより、２次電池Ｂ１１１から機器動作部１０１へ給電する（Ｓ３１）。その後、接続切替制御部１０２によって、充電回路部１００と２次電池Ａ１１０とを接続するように切替部１０５を制御する。これにより、２次電池Ａ１１０を充電する（Ｓ３２）。
【００７２】
電池状態監視部１０３は、２次電池Ａ１１０および２次電池Ｂ１１１の容量を監視している（Ｓ３３）。２次電池Ａ１１０が満充電であり、かつ、２次電池Ｂ１１１が容量中位であるとき（Ｓ３３において「Ａ満充電／Ｂ中位」）、接続切替制御部１０２は、充電回路部１００と２次電池Ａ１１０とを切断するように切替部１０５を制御する（Ｓ３４）。なお、ステップＳ３４の後は、ケース４の初期状態と同等である。
【００７３】
また、２次電池Ａ１１０が満充電であり、かつ、２次電池Ｂ１１１が容量下位であるとき（Ｓ３３において「Ａ満充電／Ｂ下位」）、接続切替制御部１０２は、充電回路部１００と２次電池Ａ１１０とを切断するように切替部１０５を制御する（Ｓ３５）。なお、ステップＳ３５の後は、ケース７の初期状態と同等である。
【００７４】
なお、２次電池Ａ１１０および２次電池Ｂ１１１の容量が、「Ａ満充電／Ｂ中位」にも「Ａ満充電／Ｂ下位」にも該当しない場合、（Ｓ３３において「その他」）、ステップＳ３３を繰り返す。
【００７５】
（ケース４）
ケース４は、２次電池Ｂ１１１から機器動作部１０１へ給電中であるとともに、２次電池Ａ１１０が満充電であり、かつ、２次電池Ｂ１１１が容量中位である場合を初期状態とするケースである。ケース４では、２次電池Ｂ１１１が容量下位に達するまで２次電池Ｂ１１１を充電せずに２次電池Ｂ１１１からの給電を維持する。そして、２次電池Ｂ１１１が容量下位になったとき、２次電池Ａ１１０からの給電に切り替え、その後、２次電池Ｂ１１１を充電する。
【００７６】
図５を参照しながら、ケース４における処理の流れについて説明する。図５は、ケース４における処理の流れを示すフローチャートである。まず、２次電池Ｂ１１１と機器動作部１０１とが接続するように切替部１０６が制御されており、２次電池Ｂ１１１から機器動作部１０１へ給電中である（Ｓ４１）。
【００７７】
そして、電池状態監視部１０３によって２次電池Ｂ１１１の残存容量が容量下限以下であることが検出されるまで、ステップＳ４２（給電ステップ）を繰り返す（Ｓ４２においてＮＯ）。
【００７８】
一方、電池状態監視部１０３によって２次電池Ｂ１１１の残存容量が容量下限以下であることが検出されると（Ｓ４２においてＹＥＳ）、接続切替制御部１０２は、２次電池Ａ１１０と機器動作部１０１とを接続するように切替部１０６を制御する。これにより、２次電池Ａ１１０から機器動作部１０１へ給電を行なう（Ｓ４３（接続切替ステップ））。
【００７９】
続いて、接続切替制御部１０２は、充電回路部１００と２次電池Ｂ１１１とを接続するように切替部１０５を制御する。これにより、２次電池Ｂ１１１を充電する（Ｓ４４（充電ステップ））。なお、ステップＳ４４の後は、ケース７の初期状態と同等である。
【００８０】
（ケース５）
ケース５は、どちらか一方の２次電池から機器動作部１０１へ給電中であるとともに、２次電池Ａ１１０が容量中位であり、かつ、２次電池Ｂ１１１が容量中位である場合を初期状態とするケースである。ケース５では、給電中の２次電池が容量下位に達するまで当該２次電池を充電せずに当該２次電池からの給電を維持する。そして、当該２次電池が容量下位になったとき、他方の２次電池からの給電に切り替え、その後、容量下位になった方の２次電池を充電する。
【００８１】
図６を参照しながら、ケース５における処理の流れについて説明する。図６は、ケース５における処理の流れを示すフローチャートである。図６（ａ）は、２次電池Ｂ１１１から機器動作部１０１へ給電中である場合を初期状態としたときの処理の流れを示すフローチャートである。まず、２次電池Ｂ１１１と機器動作部１０１とが接続するように切替部１０６が制御されており、２次電池Ｂ１１１から機器動作部１０１へ給電中である（Ｓ５１）。
【００８２】
そして、電池状態監視部１０３によって２次電池Ｂ１１１の残存容量が容量下限以下であることが検出されるまで、ステップＳ５２（給電ステップ）を繰り返す（Ｓ５２においてＮＯ）。
【００８３】
一方、電池状態監視部１０３によって２次電池Ｂ１１１の残存容量が容量下限以下であることが検出されると（Ｓ５２においてＹＥＳ）、接続切替制御部１０２は、２次電池Ａ１１０と機器動作部１０１とを接続するように切替部１０６を制御する。これにより、２次電池Ａ１１０から機器動作部１０１へ給電を行なう（Ｓ５３（接続切替ステップ））。
【００８４】
続いて、接続切替制御部１０２は、充電回路部１００と２次電池Ｂ１１１とを接続するように切替部１０５を制御する。これにより、２次電池Ｂ１１１を充電する（Ｓ５４（充電ステップ））。
【００８５】
電池状態監視部１０３は２次電池Ａ１１０および２次電池Ｂ１１１の容量を監視している（Ｓ５５）。２次電池Ａ１１０が容量中位であり、かつ、２次電池Ｂ１１１が満充電であるとき（Ｓ５５において「Ａ中位／Ｂ満充電」）、接続切替制御部１０２は、充電回路部１００と２次電池Ｂ１１１とを切断するように切替部１０５を制御する（Ｓ５６）。なお、ステップＳ５６の後は、ケース２の初期状態と同等である。
【００８６】
また、２次電池Ａ１１０が容量下位であり、かつ、２次電池Ｂ１１１が満充電であるとき（Ｓ５５において「Ａ下位／Ｂ満充電」）、接続切替制御部１０２は、充電回路部１００と２次電池Ｂ１１１とを切断するように切替部１０５を制御する（Ｓ５７）。なお、ステップＳ５７の後は、ケース３の初期状態と同等である。
【００８７】
なお、２次電池Ａ１１０および２次電池Ｂ１１１の容量が、「Ａ中位／Ｂ満充電」および「Ａ下位／Ｂ満充電」のいずれにも該当しない場合、（Ｓ５５において「その他」）、ステップＳ５５（充電ステップ）を繰り返す。
【００８８】
図６（ｂ）は、２次電池Ａ１１０から機器動作部１０１へ給電中である場合を初期状態としたときの処理の流れを示すフローチャートである。図６（ｂ）に示すステップＳ６１〜Ｓ６７は、２次電池Ａ１１０と２次電池Ｂ１１１とを入れ替えたことを除き、それぞれ、図６（ａ）に示したステップＳ５１〜Ｓ５７と同じであるので、ここでは説明を省略する。
【００８９】
（ケース６）
ケース６は、２次電池Ａ１１０が容量下位であり、かつ、２次電池Ｂ１１１が容量中位である場合を初期状態とするケースである。ケース６では、２次電池Ｂ１１１から機器動作部１０１へ給電中の状況であり、２次電池Ｂ１１１から給電を行なうとともに、満充電に達するまで２次電池Ａ１１０を充電する。ケース６における処理の流れは、図４に示したフローチャートと同じであるので、ここでは説明を省略する。
【００９０】
（ケース７）
ケース７は、２次電池Ａ１１０が満充電であり、かつ、２次電池Ｂ１１１が容量下位である場合を初期状態とするケースである。ケース７では、２次電池Ａ１１０から給電を行なうとともに、満充電に達するまで２次電池Ｂ１１１を充電する。なお、満充電に達するまで２次電池Ｂ１１１から給電を行なわない。
【００９１】
図７を参照しながら、ケース７における処理の流れについて説明する。図７は、ケース７における処理の流れを示すフローチャートである。まず、接続切替制御部１０２によって、２次電池Ａ１１０と機器動作部１０１とを接続するように切替部１０６を制御し、２次電池Ａ１１０から機器動作部１０１へ給電する（Ｓ７１）。さらに、接続切替制御部１０２によって、充電回路部１００と２次電池Ｂ１１１とを接続するように切替部１０５を制御する。これにより、２次電池Ｂ１１１を充電する（Ｓ７２）。
【００９２】
電池状態監視部１０３は、２次電池Ａ１１０および２次電池Ｂ１１１の容量を監視している（Ｓ７３）。２次電池Ａ１１０が容量中位であり、かつ、２次電池Ｂ１１１が満充電であるとき（Ｓ７３において「Ａ中位／Ｂ満充電」）、接続切替制御部１０２は、充電回路部１００と２次電池Ｂ１１１とを切断するように切替部１０５を制御する（Ｓ７４）。なお、ステップＳ７４の後は、ケース２の初期状態と同等である。
【００９３】
また、２次電池Ａ１１０が容量下位であり、かつ、２次電池Ｂ１１１が満充電であるとき（Ｓ７３において「Ａ下位／Ｂ満充電」）、接続切替制御部１０２は、充電回路部１００と２次電池Ｂ１１１とを切断するように切替部１０５を制御する（Ｓ７５）。なお、ステップＳ７５の後は、ケース３の初期状態と同等である。
【００９４】
なお、２次電池Ａ１１０および２次電池Ｂ１１１の容量が、「Ａ中位／Ｂ満充電」および「Ａ下位／Ｂ満充電」のいずれにも該当しない場合、（Ｓ７３において「その他」）、ステップＳ７３を繰り返す。
【００９５】
（ケース８）
ケース８は、２次電池Ａ１１０が容量中位であり、かつ、２次電池Ｂ１１１が容量下位である場合を初期状態とするケースである。ケース８では、２次電池Ａ１１０から機器動作部１０１へ給電中の状況であり、２次電池Ａ１１０から給電を行なうとともに、満充電に達するまで２次電池Ｂ１１１を充電する。ケース８における処理の流れは、図７に示したフローチャートと同じであるので、ここでは説明を省略する。
【００９６】
（ケース９）
ケース９は、全ての２次電池が容量下位である場合を初期状態とするケースである。ケース９では、接続切替制御部１０２が、いずれかの２次電池を充電するように切替部１０５を制御する。記憶部１０７を備えていない場合は、いずれの２次電池を選択してもよい。一方、記憶部１０７を備えている場合は、記憶部１０７に格納されている各２次電池の充放電回数を参照し、充放電回数が最少の２次電池を充電する。そして、充電が完了すると、充電が完了した２次電池から給電を開始し、他の２次電池を充電する。
【００９７】
図８を参照しながら、ケース９における処理の流れについて説明する。図８は、ケース９における処理の流れを示すフローチャートである。ここでは、記憶部１０７を備えている場合について説明する。
【００９８】
まず、接続切替制御部１０２によって記憶部１０７に格納されている２次電池Ａ１１０および２次電池Ｂ１１１の充放電回数が参照される（Ｓ８１）。
【００９９】
そして、２次電池Ａ１１０の方が充放電回数が少ない場合（Ｓ８１において「Ａが最少」）、接続切替制御部１０２は、充電回路部１００と２次電池Ａ１１０とを接続するように切替部１０５を制御し、２次電池Ａ１１０を充電する（Ｓ８２）。そして、電池状態監視部１０３によって２次電池Ａ１１０が満充電に達したことが検出されるまで、ステップＳ８３を繰り返す（Ｓ８３においてＮＯ）。電池状態監視部１０３によって２次電池Ａ１１０が満充電に達したことが検出されると（Ｓ８３においてＹＥＳ）、接続切替制御部１０２は、２次電池Ａ１１０と機器動作部１０１とを接続するように切替部１０６を制御する。これにより、２次電池Ａ１１０から機器動作部１０１へ給電を行なう（Ｓ８４）。
【０１００】
その後、接続切替制御部１０２は、充電回路部１００と２次電池Ｂ１１１とを接続するように切替部１０５を制御する。これにより、２次電池Ｂ１１１を充電する（Ｓ８５）。なお、ステップＳ８４の後は、ケース７の初期状態と同等である。
【０１０１】
一方、２次電池Ｂ１１１の方が充放電回数が少ない場合（Ｓ８１において「Ｂが最少」）、接続切替制御部１０２は、充電回路部１００と２次電池Ｂ１１１とを接続するように切替部１０５を制御する。これにより、２次電池Ｂ１１１を充電する（Ｓ８６）。そして、電池状態監視部１０３によって２次電池Ｂ１１１が満充電に達したことが検出されるまで、ステップＳ８７を繰り返す（Ｓ８７においてＮＯ）。電池状態監視部１０３によって２次電池Ｂ１１１が満充電に達したことが検出されると（Ｓ８７においてＹＥＳ）、接続切替制御部１０２は、２次電池Ｂ１１１と機器動作部１０１とを接続するように切替部１０６を制御する。これにより、２次電池Ｂ１１１から機器動作部１０１へ給電を行なう（Ｓ８８）。
【０１０２】
その後、接続切替制御部１０２は、充電回路部１００と２次電池Ａ１１０とを接続するように切替部１０５を制御する。これにより、２次電池Ａ１１０を充電する（Ｓ８９）。なお、ステップＳ８９の後は、ケース３の初期状態と同等である。
【０１０３】
（補足事項）
本実施形態では、（１）両方の２次電池が容量下位である状態を初期状態として一方の２次電池に充電を開始する場合（つまり、ケース９）、または、（２）一方の２次電池を充電中に他方の２次電池が容量下位に達した場合（つまり、ステップＳ３３において「その他」の場合、および、ステップＳ７３において「その他」の場合）、充電中の２次電池が満充電となってから機器動作部１０１へ給電を開始する。
【０１０４】
この処理フローを採用している理由は、電池寿命を延ばす効果を最大限に引き出すためである。しかしながら、この処理フローを採用すると、２次電池が満充電となるまで電子機器１が駆動できない期間が発生することから、ユーザの利便性を損なうという制約を受ける。
【０１０５】
この問題を解消するために、例外的に、充電中の２次電池から給電も行うようにすれば、電子機器１が駆動できない期間が生じるという問題を回避することができる。この例外処理の実行可否は、ユーザが任意に指示できるようにすることが好ましい。これにより、電池寿命の改善を優先するか、または、利便性の向上を優先するかについて、ユーザの指示に応じて選択可能となる。
【０１０６】
（ケース２を初期状態とする処理の流れの一例）
次に、図９を参照しながら、ケース２を初期状態とする処理の流れの一例について説明する。図９は、ケース２を初期状態とする電源装置１０における処理の流れの一例を示すフローチャートである。ここでは、記憶部１０７を備えている場合について説明する。
【０１０７】
まず、電源装置１０は、充電器Ｉ／Ｆ１０４を介して充電器に接続され、機器動作部１０１は２次電池Ａ１１０の電源供給にて動作している（Ｓ１００）。なお、２次電池Ａ１１０は、残存容量が容量中位であり、この時点では、充電回路部１００とは切り離されている。
【０１０８】
次に、２次電池Ａ１１０の残存容量が容量下限よりも多い間、電池状態監視部１０３によって２次電池Ａ１１０の残存容量を監視する（Ｓ１０１にてＮＯ）。
【０１０９】
そして、電池状態監視部１０３によって２次電池Ａ１１０の電池容量が容量下位であることを検出した場合（Ｓ１０１にてＹＥＳ）、接続切替制御部１０２により切替部１０６を制御し、２次電池Ｂ１１１から機器動作部１０１への給電に切り替える（Ｓ１０２）。なお、切り替えの際、機器動作部１０１が動作オフに至らぬよう、大容量コンデンサ等を用いて、切替時の電源瞬断等の対策を行う必要があるが、これは周知の技術的手段で容易に実現できるものであることから、本実施形態では、特に言及はしない。
【０１１０】
次に、接続切替制御部１０２により切替部１０５を制御し、２次電池Ａ１１０を充電回路部１００に接続し、２次電池Ａ１１０の充電を開始する（Ｓ１０３）。このとき、機器動作部１０１は、２次電池Ｂ１１１からの給電のみで動作しており、２次電池Ａ１１０は、充電回路部１００にのみ接続されているので、機器動作部１０１の消費電流の変動の影響を受けることは無く、充電電流が安定するため、理想的な状態での充電を実現することができる。
【０１１１】
次に、２次電池Ａ１１０が満充電になるまで、電池状態監視部１０３によって算出される２次電池Ａ１１０の残存容量を監視する（Ｓ１０４にてＮＯ）。そして、電池状態監視部１０３によって２次電池Ａ１１０の電池容量が満充電まで達したことを検出した場合（Ｓ１０４にてＹＥＳ）、接続切替制御部１０２により切替部１０５を制御し、２次電池Ａ１１０を充電回路部１００から切断することにより、２次電池Ａ１１０の充電を完了し（Ｓ１０５）、その後処理を終了する。
【０１１２】
また、このフローチャートでは図示を省略しているが、２次電池Ａ１１０および２次電池Ｂ１１１のそれぞれの充放電回数を記憶部１０７に記録している。そして、たとえば両方の２次電池の容量残量がほぼ同一だった場合に、充放電回数の少ないほうの２次電池を機器動作部１０１の電源供給に使用する。これにより、両方の２次電池の充放電回数を平均化することが可能となる等、より好ましい制御を行うことが可能となる。
【０１１３】
（切替部の接続状態）
次に、図１０を参照しながら、図９に示したフローチャートの各ステップにおける、切替部１０５および切替部１０６の接続先の状態および遷移について説明する。
【０１１４】
図１０に示すように、初期状態、ステップＳ１００、およびステップＳ１０１では、充電回路部１００は２次電池Ａ１１０および２次電池Ｂ１１１のいずれとも接続されていない（接続されていない状態を同図では「断」と表記している）。一方、機器動作部１０１は２次電池Ａ１１０と接続されている。
【０１１５】
次に、ステップＳ１０２では、機器動作部１０１への給電元の切り替えが行われ、機器動作部１０１は２次電池Ｂ１１１と接続される。なお、充電回路部１００は、依然として、２次電池Ａ１１０および２次電池Ｂ１１１のいずれとも接続されていない。
【０１１６】
次に、ステップＳ１０３では、充電回路部１００は２次電池Ａ１１０と接続される。なお、機器動作部１０１は２次電池Ｂ１１１と接続されたままである。
【０１１７】
次に、ステップＳ１０４では、接続状態は変わらない。つまり、充電回路部１００は２次電池Ａ１１０と接続されており、機器動作部１０１は２次電池Ｂ１１１と接続されたままである。
【０１１８】
次に、ステップＳ１０５では、満充電に達した２次電池Ａ１１０は、充電回路部１００から切断される。なお、機器動作部１０１は２次電池Ｂ１１１と接続されたままである。その後、処理は終了となる。
【０１１９】
（特徴点の整理）
以上のとおり、電源装置１０は、主に下記（１）および（２）に示す特徴を有している。
【０１２０】
（１）２次電池を可能な限り使用してから充電することを目的として、給電中の２次電池の電池容量が実使用上使用可能である容量下限に達するまで当該２次電池からの給電を続け、容量下限に達したときに、他の２次電池からの給電に切り替える。また、２次電池の容量が容量下位になるまで使用しない限り、たとえ充電器が接続されたとしても当該２次電池に充電は行わない。なお、切り替え後の給電元の２次電池は、少なくとも充電中ではない２次電池であるが、さらに、これまでの充放電回数を記録している場合は、充放電回数が最少の２次電池であることが望ましい。
【０１２１】
（２）容量下位になるまで放電した２次電池は、充電回路部１００にのみ接続する。充電回路部１００への接続と機器動作部１０１への接続は排他的であり、充電中の２次電池が負荷に接続されることはない。
【０１２２】
（作用効果）
以上のとおり、電源装置１０は、２次電池が容量下位になるまで使用してから当該２次電池を充電する。よって、従来よりも２次電池の充放電回数を減らすことができる。したがって、充放電の頻度が減ることとなるので、既定の充放電サイクル回数に達するまでの期間を延ばすことができるという効果を奏する。
【０１２３】
さらに、給電元の２次電池を切り替える際、充放電回数が最少の２次電池を優先して使用すると、充放電回数が各２次電池の間で平均化されるため、電源装置全体として、２次電池の充放電サイクル回数に達するまでの期間が長くすることが実現される。
【０１２４】
また、２次電池は、充電中は充電回路部１００のみ接続されており、機器動作部１０１には接続されない。よって、充電電流が安定することから、充放電サイクル寿命（可能回数）が延ばすことができるという効果が期待できる。２次電池としての製品寿命は充放電サイクル回数の限度回数であることから、結果として、製品寿命を延ばすことができるという効果を奏する。
【０１２５】
〔実施形態２〕
実施形態１では、２次電池として、リチウムイオン電池等の継ぎ足し充電が可能なものを採用した場合の実施形態について説明した。しかしながら、本発明は、２次電池の種類を継ぎ足し充電が可能なものに限定するものではない。そこで、本実施形態では、２次電池として、ニッケルカドミウム電池等の、メモリー効果が発生するために継ぎ足し充電が不可であるものを採用した場合の実施形態について説明する。
【０１２６】
本発明の他の一実施形態について、図１１〜図２０に基づいて説明すると、以下の通りである。
【０１２７】
（電源装置の構成）
図１１を参照しながら、本実施形態に係る電源装置２０の構成について説明する。図１１は、電源装置２０の構成を示すブロック図である。同図に示すように、電源装置２０は、２次電池Ａ２１０、２次電池Ｂ２１１、充電回路部（充電部）２００、接続切替制御部（接続切替手段）２０２、電池状態監視部２０３、充電器Ｉ／Ｆ２０４、切替部２０５、切替部２０６、切替部２０７、放電部（放電手段）２０８、および記憶部２０９を備えている。ただし、記憶部２０９は必ずしも備える必要はない。
【０１２８】
なお、同図では、電源装置２０は、機器動作部２０１を含む電子機器２に搭載されている。機器動作部２０１は、電子機器２が具備する各種機能を実行するメインシステム部であり、電源装置２０から見れば負荷である。
【０１２９】
充電回路部２００および充電器Ｉ／Ｆ２０４は、それぞれ、実施形態１の充電回路部１００および充電器Ｉ／Ｆ１０４と同一の機能を有するので、その説明を省略する。
【０１３０】
２次電池Ａ２１０および２次電池Ｂ２１１は、ニッケルカドミウム電池等の、メモリー効果が発生するために継ぎ足し充電が不可である電池である。
【０１３１】
次に、接続切替制御部２０２は、切替部２０５、切替部２０６、および切替部２０７を制御するものである。電池状態監視部２０３が検出する２次電池の残存容量、および、記憶部２０９に格納されている２次電池の充放電回数に基づいて、切替部２０５、切替部２０６、切替部２０７を制御する構成が好ましい。制御内容の詳細については後述する。
【０１３２】
また、記憶部２０９を備えている場合、接続切替制御部２０２は、２次電池と充電回路部１００とを接続させた場合、記憶部２０９に格納されている、当該接続させた２次電池の充放電回数を、１つ増加させて更新する。なお、２次電池と機器動作部２０１とを接続させた場合、記憶部２０９に格納されている、当該接続させた２次電池の充放電回数を、１つ増加させて更新してもよい。
【０１３３】
次に、電池状態監視部２０３は、２次電池Ａ２１０および２次電池Ｂ２１１を常時監視しており、電池電圧および充放電電流の積算値等を用いて２次電池Ａ２１０および２次電池Ｂ２１１の残存容量を算出する。そして、電池状態監視部２０３は、２次電池Ａ２１０および２次電池Ｂ２１１のそれぞれについて、少なくとも、（１）満充電であること、（２）残存容量が容量下位（容量下限以下）であること、（３）残存容量が容量中位であること、（４）残存容量が無いこと（つまり、完全に放電したこと）を検出する。
【０１３４】
次に、切替部２０５は、接続切替制御部２０２によって制御され、充電の経路選択および経路の切替を行う。より詳しくは、（１）充電回路部２００と２次電池Ａ２１０とを接続する、（２）充電回路部２００と２次電池Ｂ２１１とを接続する、（３）充電回路部２００を２次電池Ａ２１０にも２次電池Ｂ２１１にも接続しない（換言すれば、充電回路部２００と２次電池との接続を切り離す）、のいずれかに切り替える。
【０１３５】
同様に、切替部２０６は、接続切替制御部２０２によって制御され、給電の経路選択および経路断の切替を行う。より詳しくは、（１）２次電池Ａ２１０と機器動作部２０１とを接続する、（２）２次電池Ｂ２１１と機器動作部２０１とを接続する、（３）機器動作部２０１を２次電池Ａ２１０にも２次電池Ｂ２１１にも接続しない（換言すれば、機器動作部２０１と２次電池との接続を切り離す）、のいずれかに切り替える。
【０１３６】
同様に、切替部２０７は、接続切替制御部２０２によって制御され、放電の経路選択および経路断の切替を行う。より詳しくは、（１）放電部２０８と２次電池Ａ２１０とを接続する、（２）放電部２０８と２次電池Ｂ２１１とを接続する、（３）放電部２０８を２次電池Ａ２１０にも２次電池Ｂ２１１にも接続しない（換言すれば、放電部２０８と２次電池との接続を切り離す）、のいずれかに切り替える。
【０１３７】
次に、放電部２０８は、放電用抵抗等を備えており、接続された２次電池を完全に放電させる。
【０１３８】
最後に、記憶部２０９は、２次電池Ａ２１０および２次電池Ｂ２１１の各々の充放電回数を記憶するものであり、例えばＥＥＰＲＯＭなどの記憶装置によって構成される。
【０１３９】
（接続切替制御の詳細）
接続切替制御部２０２は、充電器が接続された場合、下記に示すケース１’〜９’のとおりに給電および充電を行うように、切替部２０５、切替部２０６、切替部２０７を制御する。なお、ケース１’〜９’は、それぞれ、実施形態１のケース１〜９に対応するものである。
【０１４０】
（ケース１’）
ケース１’は、全ての２次電池が満充電である場合を初期状態とするケースである。ケース１’では、接続切替制御部２０２が、いずれかの２次電池から給電を開始するように切替部２０６を制御する。記憶部２０９を備えていない場合は、いずれの２次電池を選択してもよい。一方、記憶部２０９を備えている場合は、記憶部２０９に格納されている各２次電池の充放電回数を参照し、充放電回数が最少の２次電池から給電を開始する。どちらの場合であっても、いずれの２次電池も充電しない。
【０１４１】
ケース１’における処理の流れは図１２に示すステップＳ１１１〜Ｓ１１３のとおりであるが、図２に示したステップＳ１１〜Ｓ１３と同様であるため、ここでは説明を省略する。
【０１４２】
（ケース２’）
ケース２’は、２次電池Ａ２１０から機器動作部２０１へ給電中であるとともに、２次電池Ａ２１０が容量中位であり、かつ、２次電池Ｂ２１１が満充電である場合を初期状態とするケースである。ケース２’では、２次電池Ａ２１０が容量下位になるまで２次電池Ａ２１０を充電せずに２次電池Ａ２１０からの給電を維持する。そして、２次電池Ａ２１０が容量下位になったとき、２次電池Ｂ２１１からの給電に切り替え、その後、２次電池Ａ２１０を完全に放電してから２次電池Ａ２１０を充電する。
【０１４３】
ケース２’における処理の流れは図１３に示すステップＳ１２１〜Ｓ１２４のとおりであるが、図３に示したステップＳ２１〜Ｓ２４と同様であるため、ここでは説明を省略する。
【０１４４】
ステップＳ１２３の後、接続切替制御部２０２は切替部２０７を制御し、２次電池Ａ２１０と放電部２０８とを接続する。これにより、２次電池Ａ２１０を放電する（Ｓ１２５）。そして、電池状態監視部２０３によって２次電池Ａ２１０の残存容量が無くなったことが検出されると（Ｓ１２６においてＹＥＳ）、２次電池Ａ２１０と放電部２０８とを切り離す（Ｓ１２７）。その後、２次電池Ａ２１０を充電する（Ｓ１２４）。
【０１４５】
（ケース３’）
ケース３’は、２次電池Ａ２１０が容量下位であり、かつ、２次電池Ｂ２１１が満充電である場合を初期状態とするケースである。ケース３’では、２次電池Ｂ２１１から給電を行なうとともに、２次電池Ａ２１０を完全に放電してから２次電池Ａ２１０が満充電に達するまで充電する。
【０１４６】
図１４を参照しながら、ケース３’における処理の流れについて説明する。図１４に示すステップＳ１３１〜Ｓ１３５は、図４に示したステップＳ３１〜Ｓ３５と同様であるため、ここでは説明を省略する。ステップＳ１３６〜Ｓ１３８について説明する。
【０１４７】
ステップＳ１３１の後、接続切替制御部２０２は切替部２０７を制御し、２次電池Ａ２１０と放電部２０８とを接続する。これにより、２次電池Ａ２１０を放電する（Ｓ１３６）。そして、電池状態監視部２０３によって２次電池Ａ２１０の残存容量が無くなったことが検出されると（Ｓ１３７においてＹＥＳ）、２次電池Ａ２１０と放電部２０８とを切り離す（Ｓ１３８）。その後、２次電池Ａ２１０を充電する（Ｓ１３２）。
【０１４８】
（ケース４’）
ケース４’は、２次電池Ｂ２１１から機器動作部２０１へ給電中であるとともに、２次電池Ａ２１０が満充電であり、かつ、２次電池Ｂ２１１が容量中位である場合を初期状態とするケースである。ケース４’では、２次電池Ｂ２１１が容量下位に達するまで２次電池Ｂ２１１を充電せずに２次電池Ｂ２１１からの給電を維持する。そして、２次電池Ｂ２１１が容量下位になったとき、２次電池Ａ２１０からの給電に切り替え、その後、２次電池Ｂ２１１を完全に放電してから２次電池Ｂ２１１を充電する。
【０１４９】
ケース４’における処理の流れは図１５に示すステップＳ１４１〜Ｓ１４４のとおりであるが、図５に示したステップＳ４１〜Ｓ４４と同様であるため、ここでは説明を省略する。
【０１５０】
ステップＳ１４３の後、接続切替制御部２０２は切替部２０７を制御し、２次電池Ｂ２１１と放電部２０８とを接続する。これにより、２次電池Ｂ２１１を放電する（Ｓ１４５）。そして、電池状態監視部２０３によって２次電池Ｂ２１１の残存容量が無くなったことが検出されると（Ｓ１４６においてＹＥＳ）、２次電池Ｂ２１１と放電部２０８とを切り離す（Ｓ１４７）。その後、２次電池Ｂ２１１を充電する（Ｓ１４４）。
【０１５１】
（ケース５’）
ケース５’は、どちらか一方の２次電池から機器動作部２０１へ給電中であるとともに、２次電池Ａ２１０が容量中位であり、かつ、２次電池Ｂ２１１が容量中位である場合を初期状態とするケースである。ケース５’では、給電中の２次電池が容量下位に達するまで当該２次電池を充電せずに当該２次電池からの給電を維持する。そして、当該２次電池が容量下位になったとき、他方の２次電池からの給電に切り替え、その後、容量下位になった２次電池を完全に放電してから充電する。
【０１５２】
図１６を参照しながら、ケース５’における処理の流れについて説明する。図１６（ａ）は、２次電池Ｂ２１１から機器動作部２０１へ給電中である場合を初期状態としたときの処理の流れを示すフローチャートである。図１６（ａ）に示すステップＳ１５１〜Ｓ１５７は、図６（ａ）に示したステップＳ５１〜Ｓ５７と同様であるため、ここでは説明を省略する。ステップＳ１５８〜Ｓ１６０について説明する。
【０１５３】
ステップＳ１５３の後、接続切替制御部２０２は切替部２０７を制御し、２次電池Ｂ２１１と放電部２０８とを接続する。これにより、２次電池Ｂ２１１を放電する（Ｓ１５８）。電池状態監視部２０３によって２次電池Ｂ２１１の残存容量が無くなったことが検出されると（Ｓ１５９においてＹＥＳ）、２次電池Ｂ２１１と放電部２０８とを切り離す（Ｓ１６０）。その後、２次電池Ｂ２１１を充電する（Ｓ１５４）。
【０１５４】
次に、図１６（ｂ）は、２次電池Ａ２１０から機器動作部２０１へ給電中である場合を初期状態としたときの処理の流れを示すフローチャートである。図１６（ｂ）に示すステップＳ１６１〜Ｓ１６７は、図６（ｂ）に示したステップＳ６１〜Ｓ６７と同様であるため、ここでは説明を省略する。ステップＳ１６８〜Ｓ１７０について説明する。
【０１５５】
ステップＳ１６３の後、接続切替制御部２０２は切替部２０７を制御し、２次電池Ａ２１０と放電部２０８とを接続する。これにより、２次電池Ａ２１０を放電する（Ｓ１６８）。電池状態監視部２０３によって２次電池Ａ２１０の残存容量が無くなったことが検出されると（Ｓ１６９においてＹＥＳ）、２次電池Ａ２１０と放電部２０８とを切り離す（Ｓ１７０）。その後、２次電池Ａ２１０を充電する（Ｓ１６４）。
【０１５６】
（ケース６’）
ケース６’は、２次電池Ａ２１０が容量下位であり、かつ、２次電池Ｂ２１１が容量中位である場合を初期状態とするケースである。ケース６’では、２次電池Ｂ１１１から機器動作部１０１へ給電中の状況であり、２次電池Ｂ１１１から給電を行なうとともに、２次電池Ａ２１０を完全に放電してから２次電池Ａ２１０が満充電に達するまで充電する。ケース６’における処理の流れは、図１４に示したフローチャートと同じであるので、ここでは説明を省略する。
【０１５７】
（ケース７’）
ケース７’は、２次電池Ａ２１０が満充電であり、かつ、２次電池Ｂ２１１が容量下位である場合を初期状態とするケースである。ケース７’では、２次電池Ａ１１０から給電を行なうとともに、２次電池Ｂ１１１を完全に放電してから、満充電に達するまで２次電池Ｂ１１１を充電する。
【０１５８】
図１７を参照しながら、ケース７’における処理の流れについて説明する。図１７に示すステップＳ１７１〜Ｓ１７５は、図７に示したステップＳ７１〜Ｓ７５と同様であるため、ここでは説明を省略する。ステップＳ１７６〜Ｓ１７８について説明する。
【０１５９】
ステップＳ１７１の後、接続切替制御部２０２は切替部２０７を制御し、２次電池Ｂ２１１と放電部２０８とを接続する。これにより、２次電池Ｂ２１１を放電する（Ｓ１７６）。電池状態監視部２０３によって２次電池Ｂ２１１の残存容量が無くなったことが検出されると（Ｓ１７７においてＹＥＳ）、２次電池Ｂ２１１と放電部２０８とを切り離す（Ｓ１７８）。その後、２次電池Ｂ２１１を充電する（Ｓ１７２）。
【０１６０】
（ケース８’）
ケース８’は、２次電池Ａ２１０が容量中位であり、かつ、２次電池Ｂ２１１が容量下位である場合を初期状態とするケースである。ケース８’では、２次電池Ａ２１０から機器動作部２０１へ給電中の状況であり、２次電池Ａ１１０から給電を行なうとともに、２次電池Ｂ１１１を完全に放電してから、満充電に達するまで２次電池Ｂ１１１を充電する。ケース８’における処理の流れは、図１７に示したフローチャートと同じであるので、ここでは説明を省略する。
【０１６１】
（ケース９’）
ケース９’は、全ての２次電池Ａ２１０が容量下位である場合を初期状態とするケースである。ケース９’では、接続切替制御部２０２が、いずれかの２次電池を充電するように切替部１０５を制御する。記憶部２０９を備えていない場合は、いずれの２次電池を選択してもよい。一方、記憶部２０９を備えている場合は、記憶部２０９に格納されている２次電池Ａ２１０および２次電池Ｂ２１１の充放電回数を参照し、充放電回数が最少の２次電池を放電してから当該２次電池を充電する。そして、充電が完了すると、充電が完了した２次電池から給電を開始し、他の２次電池を放電してから当該２次電池を充電する。
【０１６２】
図１８を参照しながら、ケース９’における処理の流れについて説明する。ここでは、記憶部２０９を備えている場合について説明する。図１８に示すステップＳ１８１〜Ｓ１８９は、図８に示したステップＳ８１〜Ｓ８９と同様であるため、ここでは説明を省略する。ステップＳ１９０１〜Ｓ１９１２について説明する。
【０１６３】
ステップＳ１８１において「Ａが最少」場合、および、ステップＳ１８８の後、接続切替制御部２０２は切替部２０７を制御し、２次電池Ａ２１０と放電部２０８とを接続する。これにより、２次電池Ａ２１０を放電する（Ｓ１９０１、Ｓ１９１０）。そして、電池状態監視部２０３によって２次電池Ａ２１０の残存容量が無くなったことが検出されると（Ｓ１９０２においてＹＥＳ、Ｓ１９１１においてＹＥＳ）、２次電池Ａ２１０と放電部２０８とを切り離す（Ｓ１９０３、Ｓ１９１２）。
【０１６４】
また、ステップＳ１８１において「Ｂが最少」場合、および、ステップＳ１８４の後、接続切替制御部２０２は切替部２０７を制御し、２次電池Ｂ２１１と放電部２０８とを接続する。これにより、２次電池Ｂ２１１を放電する（Ｓ１９０７、Ｓ１９０４）。そして、電池状態監視部２０３によって２次電池Ｂ２１１の残存容量が無くなったことが検出されると（Ｓ１９０８においてＹＥＳ、Ｓ１９０５においてＹＥＳ）、２次電池Ｂ２１１と放電部２０８とを切り離す（Ｓ１９０９、１９０６）。
【０１６５】
（ケース２’を初期状態とする処理の流れの一例）
次に、図１９を参照しながら、ケース２’を初期状態とする処理の流れの一例について説明する。図１９は、ケース２’を初期状態とする電源装置２０の処理の流れの一例を示すフローチャートである。ここでは、記憶部２０９を備えている場合について説明する。図１９に示すステップＳ２００〜Ｓ２０６は、ステップＳ２０３を除いて、図９に示したステップＳ１００〜Ｓ１０５と同様である。
【０１６６】
ステップＳ２０３では、接続切替制御部２０２は切替部２０７を制御し、２次電池Ａ２１０と放電部２０８とを接続する。これにより、２次電池Ａ２１０を放電する。そして、電池状態監視部２０３によって２次電池Ａ２１０の残存容量が無くなったことが検出されると、２次電池Ｂ２１１と放電部２０８とを切り離す。
【０１６７】
また、このフローチャートでは図示を省略しているが、２次電池Ａ２１０および２次電池Ｂ２１１のそれぞれの充放電回数を記憶部２０９に記録している。そして、たとえば両方の２次電池の容量残量がほぼ同一だった場合に、充放電回数の少ないほうの２次電池を機器動作部２０１の電源供給に使用する。これにより、実施形態１と同じく、両方の２次電池の充放電回数を平均化することが可能となる等、より好ましい制御を行うことが可能となる。
【０１６８】
（切替部の接続状態）
次に、図２０を参照しながら、図１９に示したフローチャートの各ステップにおける、切替部２０５、切替部２０６、および切替部２０７の接続先の状態および遷移について説明する。
【０１６９】
図２０に示すように、初期状態、ステップＳ２００、およびステップＳ２０１では、充電回路部２００は２次電池Ａ２１０および２次電池Ｂ２１１のいずれとも接続されていない（この状態を同図では「断」と表記している）。一方、機器動作部２０１は２次電池Ａ２１０と接続されている。また、２次電池Ａ２１０および２次電池Ｂ２１１は、いずれも放電させないので、放電部２０８と接続されない。
【０１７０】
次に、ステップＳ２０２では、機器動作部２０１への給電接続元の切替が行われ、機器動作部２０１は２次電池Ｂ２１１と接続される。なお、充電回路部２００は、依然として、２次電池Ａ２１０および２次電池Ｂ２１１のいずれとも接続されていない。また、２次電池Ａ２１０および２次電池Ｂ２１１は、依然として放電部２０８と接続されていない。
【０１７１】
次に、ステップＳ２０３では、２次電池Ａ２１０の放電が行われ、２次電池Ａ２１０と放電部２０８と接続される。そして、放電が完了したら、２次電池Ａ２１０と放電部２０８とは切り離される。なお、機器動作部２０１は２次電池Ｂ２１１と接続されたままである。また、充電回路部２００は、依然として、２次電池Ａ２１０および２次電池Ｂ２１１のいずれとも接続されていない。
【０１７２】
次に、ステップＳ２０４では、充電回路部２００は２次電池Ａ２１０と接続される。なお、機器動作部２０１は２次電池Ｂ２１１と接続されたままである。２次電池Ａ２１０および２次電池Ｂ２１１は、いずれも放電部２０８と接続されていない。
【０１７３】
次に、ステップＳ２０５では、接続状態は変わらない。つまり、充電回路部２００は２次電池Ａ２１０と接続されており、機器動作部２０１は２次電池Ｂ２１１と接続されたままであり、２次電池Ａ２１０および２次電池Ｂ２１１は、いずれも放電部２０８と接続されていない。
【０１７４】
次に、ステップＳ２０６では、満充電に達した２次電池Ａ２１０は、充電回路部２００から切断される。なお、機器動作部２０１は２次電池Ｂ２１１と接続されたままであり、２次電池Ａ２１０および２次電池Ｂ２１１は、いずれも放電部２０８と接続されていないままである。その後、処理は終了となる。
【０１７５】
（特徴点の整理）
以上のとおり、電源装置２０は、実施形態１の電源装置１０が有する特徴に加えて、さらに、２次電池を充電する場合、２次電池を放電部２０８と接続して放電させてから当該２次電池を充電するという特徴を有している。
【０１７６】
（作用効果）
本実施形態の構成によれば、容量が残存している状態で充電されることはないため、ニッケルカドミウム電池等のメモリー効果が発生するために継ぎ足し充電が不可である２次電池を備える場合であっても、メモリー効果の発生を抑制できるという効果を奏する。
【０１７７】
〔実施形態３〕
本実施形態では、３個の２次電池を備える電源装置について説明する。
【０１７８】
本発明のさらなる他の一実施形態について、図２１〜図２３に基づいて説明すると以下の通りである。
【０１７９】
（電源装置の構成）
図２１を参照しながら、本実施形態に係る電源装置３０の構成について説明する。図２１は、電源装置３０の構成の概要を示すブロック図である。同図に示すように、電源装置３０は、２次電池Ａ３１０、２次電池Ｂ３１１、２次電池Ｃ３１２、充電回路部（充電部）３００、接続切替制御部（接続切替手段）３０２、電池状態監視部３０３、充電器Ｉ／Ｆ３０４、切替部３０５、切替部３０６、および記憶部３０７を備えている。ただし、記憶部３０７は必ずしも備える必要はない。
【０１８０】
なお、同図では、電源装置３０は、機器動作部３０１を含む電子機器３に搭載されている。機器動作部３０１は、電子機器２が具備する各種機能を実行するメインシステム部であり、電源装置３０から見れば負荷である。
【０１８１】
２次電池Ａ３１０、２次電池Ｂ３１１、充電回路部３００、および充電器Ｉ／Ｆ３０４は、それぞれ、実施形態１の２次電池Ａ１１０、２次電池Ｂ１１１、充電回路部１００、および充電器Ｉ／Ｆ１０４と同一の機能を有するので、その説明を省略する。
【０１８２】
２次電池Ｃ３１２は、リチウムイオン電池等の、継ぎ足し充電が可能な電池である。
【０１８３】
次に、接続切替制御部３０２は、切替部３０５および切替部３０６を制御するものである。電池状態監視部３０３が算出する２次電池の残存容量、および、記憶部３０７に格納されている２次電池の充放電回数に基づいて、切替部３０５および切替部３０６を制御する構成が好ましい。制御内容の詳細については後述する。
【０１８４】
また、記憶部３０７を備えている場合、接続切替制御部３０２は、２次電池と充電回路部１００とを接続させた場合、記憶部３０７に格納されている、当該接続させた２次電池の充放電回数を、１つ増加させて更新する。なお、２次電池と機器動作部３０１とを接続させた場合、記憶部３０７に格納されている、当該接続させた２次電池の充放電回数を、１つ増加させて更新してもよい。
【０１８５】
次に、電池状態監視部３０３は、２次電池Ａ３１０、２次電池Ｂ３１１、および２次電池Ｃ３１２を常時監視しており、電池電圧および充放電電流の積算値等を用いて２次電池Ａ３１０、２次電池Ｂ３１１、および２次電池Ｃ３１２の残存容量を算出する。そして、電池状態監視部３０３は、２次電池Ａ１１０、２次電池Ｂ１１１、および２次電池Ｃ３１２のそれぞれについて、少なくとも、（１）満充電であること、（２）残存容量が容量下位であること、（３）残存容量が容量中位であること、を検出する。
【０１８６】
次に、切替部３０５は、接続切替制御部３０２によって制御され、充電の経路選択および経路の切替を行う。より詳しくは、（１）充電回路部３００と２次電池Ａ３１０とを接続する、（２）充電回路部３００と２次電池Ｂ３１１とを接続する、（３）充電回路部と２次電池Ｃ３１２とを接続する、（４）充電回路部３００を２次電池Ａ３１０にも２次電池Ｂ３１１にも２次電池Ｃ３１２にも接続しない、のいずれかに切り替える。
【０１８７】
同様に、切替部３０６は、接続切替制御部３０２によって制御され、給電の経路選択および経路断の切替を行う。より詳しくは、（１）２次電池Ａ３１０と機器動作部３０１とを接続する、（２）２次電池Ｂ３１１と機器動作部３０１とを接続する、（３）２次電池Ｃ３１２と機器動作部３０１とを接続する、（４）機器動作部３０１を２次電池Ａ３１０にも２次電池Ｂ３１１にも２次電池Ｃ３１２にも接続しない、のいずれかに切り替える。
【０１８８】
最後に、記憶部３０７は、２次電池Ａ３１０、２次電池Ｂ３１１、および２次電池Ｃ３１２の各々の充放電回数を記憶するものであり、例えばＥＥＰＲＯＭなどの記憶装置によって構成される。
【０１８９】
（接続切替制御の詳細）
接続切替制御部３０２は、２次電池の個数が３個である点で異なるが、実施形態１にて説明した接続切替制御部１０２と同様の制御を行う。
【０１９０】
特に、接続切替制御部３０２は、給電中の２次電池からの給電を維持するように切替部３０６を制御し、かつ、当該２次電池と充電回路部３００とを接続させないように切替部３０５を制御する。
【０１９１】
そして、給電中の２次電池が容量下位に達したことが電池状態監視部３０３によって検出されると、接続切替制御部３０２は、当該給電中の２次電池を除く２次電池のうち、いずれかの２次電池から給電を開始するように切替部１０６を制御する。記憶部３０７を備えていない場合は、いずれの２次電池を選択してもよい。一方、記憶部３０７を備えている場合は、当該給電中の２次電池を除く２次電池のうち、充電回路部３００と接続されておらず、かつ、記憶部３０７に格納されている充放電回数が最少の２次電池と、機器動作部３０１とを接続するように切替部３０６を制御する。その後、容量下位に達した２次電池と充電回路部３００とを接続するように切替部３０５を制御し、満充電になるまで充電を続ける。満充電になるまでは給電を行なわない。
【０１９２】
（処理の流れの一例）
図２２を参照しながら、２次電池Ａ３１０から機器動作部３０１へ給電中であるとともに、２次電池Ａ３１０が容量中位であり、かつ、２次電池Ｂ３１１が満充電であり、かつ２次電池Ｃ３１２が満充電である場合を初期状態とする場合における、接続切替制御部３０２の動作例を説明する。図２２は、電源装置３０における、当該初期状態からの処理の流れの一例を示すフローチャートである。ここでは、記憶部３０７を備えている場合について説明する。
【０１９３】
まず、電源装置３０は、充電器Ｉ／Ｆ３０４を介して充電器に接続され、機器動作部３０１は２次電池Ａ３１０の電源供給にて動作している（Ｓ３００）。なお、２次電池Ａ３１０は、残存容量が容量中位であり、この時点では、充電回路部３００とは切り離されている。
【０１９４】
次に、２次電池Ａ３１０の残存容量が容量下限よりも多い間、電池状態監視部３０３によって算出される２次電池Ａ３１０の残存容量を監視する（Ｓ３０１にてＮＯ）。
【０１９５】
そして、電池状態監視部３０３によって２次電池Ａ３１０の電池容量が容量下位であることを検出した場合（Ｓ３０１にてＹＥＳ）、接続切替制御部３０２は、２次電池Ａ３１０を除く２次電池のうち、充電回路部１００と接続されておらず、かつ、記憶部３０７に格納されている充放電回数が最少の２次電池（つまり、２次電池Ｂ３１１および２次電池Ｃ３１２のうち充放電回数が最少の２次電池）を特定する。２次電池Ｂ３１１の充放電回数が最少の場合（Ｓ３０２にて「Ｂが最少」）、接続切替制御部３０２により切替部３０６を制御し、２次電池Ｂ３１１から機器動作部３０１への給電に切り替える（Ｓ３０３）。なお、切り替えの際、機器動作部３０１が動作オフに至らぬよう、大容量コンデンサ等を用いて、切替時の電源瞬断等の対策を行う必要があるが、これは周知の技術的手段で容易に実現できるものであることから、本実施形態では、特に言及はしない。
【０１９６】
次に、接続切替制御部３０２により切替部３０５を制御し、２次電池Ａ３１０を充電回路部３００に接続し、２次電池Ａ３１０の充電を開始する（Ｓ３０４）。このとき、機器動作部３０１は、２次電池Ｂ３１１からの給電のみで動作しており、２次電池Ａ３１０は、充電回路部３００にのみ接続されているので、機器動作部３０１の消費電流の変動の影響を受けることは無く、充電電流が安定するため、理想的な状態での充電を実現することができる。
【０１９７】
次に、２次電池Ａ３１０が満充電になるまで、電池状態監視部３０３によって算出される２次電池Ａ３１０の残存容量を監視する（Ｓ３０５にてＮＯ）。そして、電池状態監視部１０３によって２次電池Ａ３１０の電池容量が満充電まで達したことを検出した場合（Ｓ３０５にてＹＥＳ）、接続切替制御部３０２により切替部３０５を制御し、２次電池Ａ３１０を充電回路部３００から切断することにより、２次電池Ａ３１０の充電を完了し、その後処理を終了する。
【０１９８】
他方、２次電池Ｃ３１２の充放電回数が最少の場合（Ｓ３０２にて「Ｃが最少」）、接続切替制御部３０２により切替部３０６を制御し、２次電池Ｃ３１２から機器動作部３０１への給電に切り替える（Ｓ３０７）。ステップＳ３０８〜Ｓ３１０は、ステップＳ３０４〜Ｓ３０６と同じであるので、説明を省略する。
【０１９９】
（切替部の接続状態）
次に、図２３を参照しながら、図２３に示したフローチャートの各ステップにおける、切替部３０５および切替部３０６の接続先の状態および遷移について説明する。
【０２００】
図２３に示すように、初期状態、ステップＳ３００〜Ｓ３０２では、充電回路部３００は２次電池Ａ３１０および２次電池Ｂ３１１および２次電池Ｃ３１２のいずれとも接続されていない。一方、機器動作部３０１は２次電池Ａ３１０と接続されている。
【０２０１】
次に、ステップＳ３０３では、機器動作部３０１への給電接続元の切替が行われ、機器動作部３０１は２次電池Ｂ３１１と接続されている。なお、充電回路部３００は、依然として２次電池Ａ３１０および２次電池Ｂ３１１のいずれとも接続されていない。
【０２０２】
次にステップＳ３０４では、充電回路部３００は２次電池Ａ３１０と接続される。なお、機器動作部３０１は２次電池Ｂ３１１と接続されたままである。
【０２０３】
次に、ステップＳ３０５では、接続状態は変わらない。つまり、充電回路部３００は２次電池Ａ３１０と接続されており、機器動作部３０１は２次電池Ｂ３１１と接続されたままである。
【０２０４】
次に、ステップＳ３０６では、満充電に達した２次電池Ａ３１０は、充電回路部３００から切断される。なお、機器動作部３０１は２次電池Ｂ３１１と接続されたままである。その後、処理は終了となる。
【０２０５】
次に、ステップＳ３０７では、機器動作部３０１への給電接続元の切替が行われ、機器動作部３０１は２次電池Ｃ３１２と接続されている。なお、充電回路部３００は、依然として２次電池Ａ３１０および２次電池Ｂ３１１のいずれとも接続されていない。
【０２０６】
次にステップＳ３０８では、充電回路部３００は２次電池Ａ３１０と接続される。なお、機器動作部３０１は２次電池Ｃ３１２と接続されたままである。
【０２０７】
次に、ステップＳ３０９では、接続状態は変わらない。つまり、充電回路部３００は２次電池Ａ３１０と接続されており、機器動作部３０１は２次電池Ｃ３１２と接続されたままである。
【０２０８】
次に、ステップＳ３１０では、満充電に達した２次電池Ａ３１０は、充電回路部３００から切断される。なお、機器動作部３０１は２次電池Ｃ３１２と接続されたままである。その後、処理は終了となる。
【０２０９】
（特徴点の整理）
以上のとおり、電源装置３０は、下記（１）および（２）に示す特徴を有している。
【０２１０】
（１）２次電池を可能な限り使用してから充電することを目的として、給電中の２次電池の電池容量が容量下位に達したときに、残りの２次電池のいずれかからの電源供給に切り替える。このとき、充放電回数が最少の２次電池からの電源供給に切り替えることが望ましい。なお、電池容量が容量下位になるまで使用しない限り、充電器が接続されたとしても容量中位の２次電池に充電は行わない。
【０２１１】
（２）容量下位になるまで放電した２次電池は、充電回路部３００にのみ接続する。充電回路部３００への接続と機器動作部３０１への接続は排他的であり、充電中の２次電池が負荷に接続されることはない。
【０２１２】
（作用効果）
電源装置３０は、実施形態１で述べた作用効果と同様の作用効果を奏する。つまり、従来よりも２次電池の充放電回数を減らすことができ、充放電の頻度が減ることとなるので、既定の充放電サイクル回数に達するまでの期間を延ばすことができるという効果を奏する。
【０２１３】
また、実施の形態１と同様に、充電電流が安定することから、充放電サイクル寿命（可能回数）が延びるという効果が期待でき、その結果、製品寿命を延ばすことができるという効果を奏する。
【０２１４】
（変形例）
実施形態３で示した構成に対して、さらに、実施形態２にて説明した放電部を設けるとともに、２次電池を充電する場合には完全に放電してから充電する構成としてもよい。これにより、ニッケルカドミウム電池等の継ぎ足し充電が不可である２次電池を備える場合であっても上述した効果を奏する。
【０２１５】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２１６】
本発明は、充電可能な複数の２次電池を備えており、２次電池のいずれかから負荷に対して給電を行なう電源装置に適用できる。
【符号の説明】
【０２１７】
１、２、３                    電子機器
１０、２０、３０              電源装置
１００、２００、３００        充電回路部（充電部）
１０１、２０１、３０１        機器動作部（負荷）
１０２、２０２、３０２        接続切替制御部（接続切替手段）
１０７、２０９、３０７        記憶部
２０８                        放電部（放電手段）
Ａ１１０、Ｂ１１１            ２次電池
Ａ２１０、Ｂ２１１            ２次電池
Ａ３１０、Ｂ３１１、Ｃ３１２  ２次電池
【図１】
0005864235.tif 000002
【図２】
0005864235.tif 000003
【図３】
0005864235.tif 000004
【図４】
0005864235.tif 000005
【図５】
0005864235.tif 000006
【図６】
0005864235.tif 000007
【図７】
0005864235.tif 000008
【図８】
0005864235.tif 000009
【図９】
0005864235.tif 000010
【図１０】
0005864235.tif 000011
【図１１】
0005864235.tif 000012
【図１２】
0005864235.tif 000013
【図１３】
0005864235.tif 000014
【図１４】
0005864235.tif 000015
【図１５】
0005864235.tif 000016
【図１６】
0005864235.tif 000017
【図１７】
0005864235.tif 000018
【図１８】
0005864235.tif 000019
【図１９】
0005864235.tif 000020
【図２０】
0005864235.tif 000021
【図２１】
0005864235.tif 000022
【図２２】
0005864235.tif 000023
【図２３】
0005864235.tif 000024